(57)【要約】【課題】テンショナのテンショナカップとテンショナアームとを一般の工具では容易に分解することができないようにする。【解決手段】テンショナアーム３０の中央に回転軸３１を設ける。テンショナカップの底面中央に回転軸３１が回転自在の嵌入され保持される軸受部２１を設ける。回転軸３１の先端近傍の内部に雌ネジを形成する。軸受部２１の外側に段部２１ａを設ける。座金３１ｂを段部２１ａとピボットボルト６０の頭部６０Ｂとの間に介装し、回転軸３１の雌ネジにピボットボルト６０を螺着する。ピボットボルト６０の頭部６０Ｂの輪郭を正五角形とする。【選択図】        図１
2004270859.tif 000002
【特許請求の範囲】
【請求項１】
テンショナカップとテンショナアームとを係合するピボットボルトであって、側面にネジが形成された軸部と、前記軸部の一端に設けられ、多角形の輪郭を有する頭部とを備えることを特徴とするテンショナ用ピボットボルト。
【請求項２】
前記多角形が正多角形であることを特徴とする請求項１に記載のテンショナ用ピボットボルト。
【請求項３】
前記多角形の辺の数が奇数であることを特徴とする請求項１に記載のテンショナ用ピボットボルト。
【請求項４】
前記多角形の辺の数が３の倍数でないことを特徴とする請求項３に記載のテンショナ用ピボットボルト。
【請求項５】
前記多角形が五角形であることを特徴とする請求項４に記載のテンショナ用ピボットボルト。
【請求項６】
請求項１に記載のテンショナ用ピボットボルトを取付けるための工具であって、前記多角形の輪郭に適合する箱又はあごを有することを特徴とする取付工具。
【請求項７】
前記多角形がＮ角形であるとき、３６０・Ｍ／Ｎ≧１８０を満たす整数Ｍに対して、前記箱又は前記あごが、前記Ｎ角形のＮ辺未満かつ（Ｍ＋１）辺以上に適合していることを特徴とする請求項６に記載の取付工具。
【請求項８】
請求項１に記載のテンショナ用ピボットボルトを用いたことを特徴とするテンショナ。
【発明の詳細な説明】
【０００１】
【発明の属する技術分野】
本発明は、ベルトの弛みに追従してベルトの張力を調整するコイルスプリングを用いたテンショナに用いられるピボットボルト関する。
【０００２】
【従来の技術】
テンションナは、エンジンブロック等に取り付けられるテンショナカップと、このテンショナカップに回動自在に取り付けられるテンショナアームとを備える。テンショナアームには、その回動軸（揺動軸）から偏心した位置に回転軸を有するプーリが回転自在に取り付けられる。テンショナアームはテンショナカップに対し、上記回動軸周りに回転付勢力を与えられる。テンショナアームに取り付けられたプーリはこの回転付勢力によりテンショナアームの回動軸周りに付勢され、ベルトを押圧して、その張力に応じて揺動し張力を調整する。なお、テンショナカップとテンショナアームとは、六角頭のピボットボルトを用いて回動自在に嵌合されこのピボットボルトが回動軸を構成する。
【０００３】
【発明が解決しようとする課題】
しかし、六角頭のピボットボルトは、一般の工具を用いて容易に取り外すことができ、一般ユーザによりテンショナが分解されてしまう可能性がある。
【０００４】
本発明は、一般の工具では容易に分解することができないテンショナと、このテンショナに用いられるピボットボルト及びその取付工具を提供することを目的としている。
【０００５】
【課題を解決するための手段】
本発明のテンショナ用ピボットボルトは、テンショナカップとテンショナアームとを係合するピボットボルトであって、側面にネジが形成された軸部と、軸部の一端に設けられ、多角形の輪郭を有する頭部とを備えたことを特徴としている。
【０００６】
頭部にかかる力を均等に分配するには、多角形は正多角形であることが好ましい。また、従来の取付工具では取り扱いをより困難にするには、多角形の辺の数が奇数であることが好ましい。また、従来の取付工具が六角形であることから、多角形の辺の数は３の倍数でないことがより好ましい。また更に、製造の容易さ及び取付工具からの回転力をより確実に頭部に伝達するには多角形は五角形であることがより好ましい。
【０００７】
本発明の取付工具は、上記テンショナ用ピボットボルトを取付けるための工具であって、テンショナ用ピボットボルト頭部の多角形の輪郭に適合する箱又はあごを有することを特徴としている。
【０００８】
多角形がＮ角形であるとき、３６０・Ｍ／Ｎ≧１８０を満たす整数Ｍに対して、箱又はあごは、Ｎ角形のＮ辺未満かつ（Ｍ＋１）辺以上に適合している。
【０００９】
本発明のテンショナは、上記テンショナ用ピボットボルトを用いたことを特徴としている。
【００１０】
【発明の実施の形態】
以下、本発明の実施の形態について図面を参照して説明する。
図１は本発明の一実施形態であるオートテンショナの断面図である。また、図２は、図１に示されたオートテンショナを図１の矢印ＩＩの方向から見た平面図である。
【００１１】
本実施形態のオートテンショナ１０は、エンジンブロック（図示せず）に固定されるテンショナカップ２０と、このテンショナカップ２０に対して揺動軸Ｌｃの回りに回動可能なテンショナアーム３０と、テンショナアーム３０に取り付けられたテンショナプーリ４０とから概ねなる。テンショナカップ２０は円筒のカップ形状を呈し、その底面の中央にはテンショナアーム３０の回転軸３１を支持するための軸受部２１がテンショナカップ２０の内側に突出する形で形成される。
【００１２】
テンショナアーム３０は、テンショナカップ２０の開口部２３に嵌合し、開口部２３の全体を覆い閉塞する。テンショナアーム３０の底面中央には、中空の上記回転軸３１が形成され、底面周縁部近傍にはプーリ４０を取付けるためのプーリ取付部３２が形成される。回転軸３１はテンショナカップ２０の軸受部２１の軸穴に回転自在に嵌入される。また、プーリ取付部３２にはプーリ４０がボールベアリング４１を介して取り付けられる。すなわち、ボールベアリング４１の内輪はプーリ取付部３２に螺着されるボルト３２ａによりプーリ取付部３２に固定され、その外輪はプーリ４０のボスに固定される。これにより、プーリ４０は、ボルト３２ａの軸と同軸である回転軸Ｌｐを中心に回転自在である。なお、ボルト３２ａの頭部とボールベアリング４１の内輪との間には座金３２ｂが介装され、座金３２ｂはダストシールドとしての役割も果たす。
【００１３】
テンショナカップ２０の軸受部２１の軸穴は、テンショナカップ２０の内側と外側とを連通し、テンショナアーム３０の回転軸３１はテンショナカップ２０の内側から軸受部２１に回転自在に嵌入される。中空の回転軸３１の内周面には雌ネジが形成され、ピボットボルト６０が螺着される。図２に示されるように、ピボットボルト６０は軸部６０Ａと頭部６０Ｂを備える。軸部６０Ａの円柱側面にはネジが切られており、頭部６０Ｂの輪郭は正五角形の形状をなす。したがって、ピボットボルト６０の取付には、正五角形のボルト頭部６０Ｂに適合する専用の工具（例えばスパナ又はレンチ）が用いられる。すなわち、スパナには五角形の頭部６０Ｂの全面（５面）に適合する五角形の箱又は開口が設けられる。また、五角形の４面に適合しその一面分が取り除かれた箱又はあごが形成されていてもよい。
【００１４】
なお、ピボットボルト６０の頭部と回転軸３１との間には座金３１ｂが介装される。座金３１ｂは、ブッシング２６を介して軸受部２１の内周面に形成された段部２１ａと係合し、回転軸３１の軸方向の運動を規制する。なお、ブッシング２６は軸受部２１と回転軸３１の間に介装されるスリーブ部材であり、座金３１ｂと段部２１ａとの間に挟まれるフランジ部を有する。
【００１５】
テンショナカップ２０内には、コイルスプリング２２が装置され、コイルスプリング２２とテンショナカップ２０の底面との間には、リング状のスプリングシート５０が介装され、コイルスプリング２２の姿勢を維持する。
【００１６】
コイルスプリング２２の一方の端部はテンショナカップ２０の底面に固定される。また、コイルスプリング２２の他方の端部はテンショナアーム３０の底面に固定される。なおコイルスプリング２２は、テンショナカップ２０内において、その螺旋軸が略回転軸３１と一致するように配置される。また、コイルスプリング２２は、組み立て時、若干圧縮されるとともに捩られてテンショナカップ２０内に組み込まれるので、テンショナアーム３０にはテンショナカップ２０に対して軸Ｌｃを中心とする回転付勢が与えられる。
【００１７】
テンショナアーム３０の周縁部は、例えば二重の円筒構造を呈する。すなわち、テンショナアーム３０は、最も外側にあって円筒形の外周面を形成する外輪部３３とその内側に形成される円筒形の内輪部３４とを備える。外輪部３３の内径はテンショナカップ２０の開口部２３の外径よりも大きく、内輪部３４の外径はテンショナカップ２０の開口部２３の内径よりも小さい。テンショナカップ２０の開口部２３は、外輪部３３と内輪部３４との間に嵌入され、内輪部３４の外周面と開口部２３の内周面との間には全周に渡ってダンピングバンド２４が介装される。すなわち、テンショナアーム３０はプーリ４０に掛かるベルト荷重の変動に応じて軸Ｌｃ回りに揺動し、このときテンショナアーム３０の内輪部３４の外周面はテンショナカップ２０の開口部２３に装着されたダンピングバンド２４の内周面と摺接しダンピング力を発生する。
【００１８】
なお、テンショナ１０のエンジンブロックへの取り付けは、テンショナカップ２０の外周面から垂直に張り出し、板状に形成された例えば３つの固定部２５をボルトで固定することにより行われる。
【００１９】
以上のように、本実施形態によれば、テンショナカップとテンショナアームとを揺動自在に枢着するピボットボルトの頭部が、通常の正六角形とはことなり正五角形をしているので、一般のユーザは、汎用の工具を用いてテンショナを分解することができない。
【００２０】
なお、本実施形態では、正五角形を例に説明を行ったが、ピボットボルトの頭部は、例えば他の奇数個の面（辺）を有する多角形（３角形、７角形、９角形等）であってもよい。ただし、従来のボルト頭部が六角形であることから、多角形の面（辺）の数は３の倍数ではない奇数であることがより望ましい。
【００２１】
特に力を均等にボルト頭部に加えるには正多角形が好ましく、この場合、専用の取付工具も選択された各多角形に適合した形状の箱又はあごを備える。
【００２２】
なお、取付工具がＮ角形の一部の面（辺）に適合されている場合には、３６０・Ｍ／Ｎ≧１８０を満たす整数をＭ（Ｍ＜Ｎ）とするとき、あごは例えばボルト頭部の（Ｍ＋１）面（辺）以上に適合していればよく、Ｎ−（Ｍ＋１）面（辺）まで取り除くことができる。
【００２３】
【発明の効果】
以上のように、本発明によれば、一般の工具では容易に分解することができないテンショナと、このテンショナに用いられるピボットボルト及びその取付工具を提供することができる。
【図面の簡単な説明】
【図１】本発明の一実施形態であるオートテンショナの側断面図である。
【図２】図１に示されたテンショナカップを開口部の方向から見た平面図である。
【符号の説明】
１０  オートテンショナ
２０  テンショナカップ
６０  ピボットボルト
６０Ａ  軸部
６０Ｂ  頭部
【図１】
2004270859.tif 000003
【図２】
2004270859.tif 000004